(57)【要約】  【課題】  燃焼反応度を低減し、制御棒の誤引抜きとスクラム失敗を重畳した事故であるＵＴＯＰ時の炉心燃料の健全性を確保しつつ、流量喪失とスクラム失敗を重畳した事故であるＵＬＯＦ時の冷却材ナトリウムの沸騰を回避することによって、安全性を向上する。  【解決手段】  炉心の径方向において、炉心燃料集合体が複数装荷される炉心燃料集合体領域内に、内部ブランケット燃料集合体が複数装荷される内部ブランケット燃料集合体領域を配置する径方向非均質型の高速炉の炉心であって、前記炉心燃料集合体領域および前記内部ブランケット燃料集合体領域の上部に、ラッパ管および流動ナトリウムで構成されるナトリウムプレナムを備え、前記内部ブランケット燃料集合体領域の高さが、前記炉心燃料集合体領域の高さよりも低いことを特徴とする。【選択図】  図１
2018185205.tif 000002
【特許請求の範囲】
【請求項１】
炉心の径方向において、炉心燃料集合体が複数装荷される炉心燃料集合体領域内に、内部ブランケット燃料集合体が複数装荷される内部ブランケット燃料集合体領域を配置する径方向非均質型の高速炉の炉心であって、
前記炉心燃料集合体領域および前記内部ブランケット燃料集合体領域の上部に、ラッパ管および流動ナトリウムで構成されるナトリウムプレナムを備え、
前記内部ブランケット燃料集合体領域の高さが、前記炉心燃料集合体領域の高さよりも低いことを特徴とする高速炉の炉心。
【請求項２】
請求項１に記載の高速炉の炉心であって、
前記内部ブランケット燃料集合体領域上のナトリウムプレナムの厚みが、前記炉心燃料集合体領域上のナトリウムプレナムの厚みよりも厚いことを特徴とする高速炉の炉心。
【請求項３】
請求項１または２に記載の高速炉の炉心であって、
前記炉心の軸方向において、前記内部ブランケット燃料集合体領域の燃料有効長が、前記炉心燃料集合体領域の燃料有効長よりも短いことを特徴とする高速炉の炉心。
【請求項４】
請求項１から３のいずれか１項に記載の高速炉の炉心であって、
前記炉心燃料集合体および前記内部ブランケット燃料集合体の燃料物質は、劣化ウラン酸化物を主成分とすることを特徴とする高速炉の炉心。
【請求項５】
請求項１から４のいずれか１項に記載の高速炉の炉心であって、
前記ナトリウムプレナム上に中性子を遮へいする中性子遮へい体を備え、
前記ナトリウムプレナムおよび前記中性子遮へい体の間に、中性子を減速する中性子減速材をさらに備えることを特徴とする高速炉の炉心。
【請求項６】
請求項５に記載の高速炉の炉心であって、
前記中性子減速材は、イットリウム・ハイドライドからなることを特徴とする高速炉の炉心。
【請求項７】
炉心の径方向において、炉心燃料集合体が複数装荷される炉心燃料集合体領域内に、内部ブランケット燃料集合体が複数装荷される内部ブランケット燃料集合体領域を配置する径方向非均質型の高速炉の炉心であって、
前記炉心燃料集合体領域および前記内部ブランケット燃料集合体領域の上部に、ラッパ管の内部に束ねられたガスプレナムを有する金属燃料要素を備え、
前記内部ブランケット燃料集合体領域の高さが、前記炉心燃料集合体領域の高さよりも低いことを特徴とする高速炉の炉心。
【請求項８】
請求項７に記載の高速炉の炉心であって、
前記内部ブランケット燃料集合体領域上のガスプレナムの厚みが、前記炉心燃料集合体領域上のガスプレナムの厚みよりも厚いことを特徴とする高速炉の炉心。
【請求項９】
請求項７または８に記載の高速炉の炉心であって、
前記炉心の軸方向において、前記内部ブランケット燃料集合体領域の燃料有効長が、前記炉心燃料集合体領域の燃料有効長よりも短いことを特徴とする高速炉の炉心。
【請求項１０】
請求項７から９のいずれか１項に記載の高速炉の炉心であって、
前記炉心燃料集合体および前記内部ブランケット燃料集合体の燃料物質は、劣化ウラン酸化物を主成分とすることを特徴とする高速炉の炉心。
【請求項１１】
請求項７から１０のいずれか１項に記載の高速炉の炉心であって、
前記金属燃料要素上に中性子を遮へいする中性子遮へい体を備え、
前記金属燃料要素および前記中性子遮へい体の間に、中性子を減速する中性子減速材をさらに備えることを特徴とする高速炉の炉心。
【請求項１２】
請求項１１に記載の高速炉の炉心であって、
前記中性子減速材は、イットリウム・ハイドライドからなることを特徴とする高速炉の炉心。
【請求項１３】
炉心の径方向において、複数の炉心燃料集合体が装荷された炉心燃料集合体領域内に、複数の内部ブランケット燃料集合体を装荷することで内部ブランケット燃料集合体領域を配置し、
前記炉心燃料集合体領域および前記内部ブランケット燃料集合体領域の上部に、ラッパ管および流動ナトリウムで構成されるナトリウムプレナムを配置する高速炉の燃料装荷方法であって、
前記内部ブランケット燃料集合体領域の高さが、前記炉心燃料集合体領域の高さよりも低いことを特徴とする高速炉の燃料装荷方法。
【請求項１４】
請求項１３に記載の高速炉の燃料装荷方法であって、
前記ナトリウムプレナム上に中性子を減速する中性子減速材を配置し、
前記中性子減速材上に中性子を遮へいする中性子遮へい体を配置することを特徴とする高速炉の燃料装荷方法。
【請求項１５】
炉心の径方向において、複数の炉心燃料集合体が装荷された炉心燃料集合体領域内に、複数の内部ブランケット燃料集合体を装荷することで内部ブランケット燃料集合体領域を配置し、
前記炉心燃料集合体領域および前記内部ブランケット燃料集合体領域の上部に、ラッパ管の内部に束ねられたガスプレナムを有する金属燃料要素を配置する高速炉の燃料装荷方法であって、
前記内部ブランケット燃料集合体領域の高さが、前記炉心燃料集合体領域の高さよりも低いことを特徴とする高速炉の燃料装荷方法。
【請求項１６】
請求項１５に記載の高速炉の燃料装荷方法であって、
前記金属燃料要素上に中性子を減速する中性子減速材を配置し、
前記中性子減速材上に中性子を遮へいする中性子遮へい体を配置することを特徴とする高速炉の燃料装荷方法。
【発明の詳細な説明】
【技術分野】
【０００１】
本発明は、高速炉の炉心とその燃料装荷方法に係り、特に、燃焼反応度の低減とボイド反応度の低減を両立し、炉心の安全性向上に有効な技術に関する。
【背景技術】
【０００２】
高速炉の燃料集合体および炉心に関する背景技術としては、例えば、下記非特許文献１に記載されている。一般的に、高速増殖炉は、原子炉容器内に炉心を配置しており、冷却材である液体ナトリウムを原子炉容器内に充填している。その炉心に装荷される燃料集合体は、プルトニウム（Ｐｕ）を富化した劣化ウラン（Ｕ−２３８）を封入した複数の燃料棒、束ねられた複数の燃料棒を取り囲むラッパ管、これらの燃料棒の下端部及び燃料棒の下方に位置する中性子遮へい体を支持するエントランスノズル、及び燃料棒の上方に位置する冷却材流出部を有する。
【０００３】
高速増殖炉の炉心は、内側炉心領域及びこの内側炉心領域を取り囲む外側炉心領域を有する炉心燃料領域、炉心燃料領域を取り囲むブランケット燃料領域及びブランケット領域を取り囲む遮へい体領域を有する。標準的な均質炉心の場合、外側炉心領域に装荷される燃料集合体のプルトニウム富化度（Ｐｕ富化度）は、内側炉心領域に装荷される燃料集合体のＰｕ富化度よりも高くなっている。この結果、炉心の半径方向における出力分布が平坦化される。
【０００４】
燃料集合体の各燃料棒に収納される核燃料物質の形態としては、金属燃料、窒化物燃料及び酸化物燃料がある。これらのうち、酸化物燃料が最も実績が豊富である。
【０００５】
Ｐｕ及び劣化ウランのそれぞれの酸化物を混合した混合酸化物燃料、すなわち、ＭＯＸ燃料のペレットが、燃料棒内で軸方向の中央部において８０ｃｍ〜１００ｃｍ程度の高さに充填される。さらに、燃料棒内には、劣化ウランで作られた複数の二酸化ウランペレットを充填した軸方向ブランケット領域が、ＭＯＸ燃料の充填領域の上方及び下方にそれぞれ配置される。内側炉心領域に装荷される内側炉心燃料集合体及び外側炉心領域に装荷される外側炉心燃料集合体は、そのように、ＭＯＸ燃料の複数のペレットを充填した複数の燃料棒を有する。外側炉心燃料集合体のＰｕ富化度は、内側炉心燃料集合体のそれよりも高くなっている。
【０００６】
炉心燃料領域を取り囲むブランケット燃料領域には、劣化ウランで作られた複数の二酸化ウランペレットを充填した複数の燃料棒を有するブランケット燃料集合体が装荷される。炉心燃料領域に装荷された燃料集合体内で生じる核分裂反応で発生した中性子のうち、炉心燃料領域から漏れた中性子が、ブランケット燃料領域に装荷されたブランケット燃料集合体の各燃料棒内のＵ−２３８に吸収される。この結果、ブランケット燃料集合体の各燃料棒内で核分裂性核種であるＰｕ−２３９が新たに生成される。
【０００７】
また、高速増殖炉の起動時、停止時及び原子炉出力の調節時には、制御棒が用いられる。制御棒は、炭化ホウ素（Ｂ４Ｃ）ペレットをステンレス製の被覆管に封入した複数の中性子吸収棒を有し、これらの中性子吸収棒を、内側炉心燃料集合体及び外側炉心燃料集合体と同様に、横断面が正六角形をしたラッパ管に収納されて構成される。制御棒は、主炉停止系及び後備炉停止系の独立した２系統の構成となっており、主炉停止系及び後備炉停止系のいずれか一方のみで高速増殖炉の緊急停止が可能になる。
【０００８】
さて、一般に高速炉のナトリウムボイド反応度は正であり、大型高速炉の場合、6$〜8$程度である。故障や外部電源喪失による主循環ポンプの停止による流量喪失とスクラム失敗を重畳した事故（ＵＬＯＦ：Unprotectd Loss of Flow）を想定すると、集合体の出力と流量に不整合が生じ、冷却材ナトリウムが沸騰して反応度が増加する可能性がある。一方、ＭＯＸ燃料炉心の場合、燃焼反応は3%Δk/kk’程度であり、制御棒の誤引抜きとスクラム失敗を重畳した事故（ＵＴＯＰ：Unprotected Transient Over Power）を想定すると、当該制御棒近傍の出力密度が変化して、線出力が設計許容値を超過する可能性がある。
【０００９】
ナトリウム(Na）ボイド反応度を低減すれば、ＵＬＯＦ時の冷却材ナトリウムの沸騰を回避でき、炉心の安全性向上が実現できる。また、ＵＴＯＰ時の線出力の増大を回避できれば、熱的な余裕の増大、ひいては炉心の安全性向上が実現できる。ＵＴＯＰ時の線出力増大を回避するには、燃焼反応度を低減して、燃焼補償用の制御棒１本当りに要求される、制御反応度の低減が有効である。
【００１０】
高速炉において、下記非特許文献２の図2.2に示される様に、Ｐｕ富化度を炉心中心寄りの内側炉心で低く、内側炉心を取り囲む外側炉心で高くする均質炉心に対して、一種類のＰｕ富化度の炉心燃料の一部を同心円状に劣化ウランを主成分とするブランケット集合体が配置される、径方向非均質炉心が提案されている。径方向非均質炉心において、ブランケット集合体は燃焼が進むにつれて燃料中のU-238がPu-239に転換して、徐々に集合体の出力が増加するため、一般に燃焼反応度は均質炉心よりも小さい特長を有する。
【００１１】
他方、Naボイド反応度の低減策としては、下記非特許文献３のFig.1に示される様に、均質装荷炉心において、一部の炉心燃料集合体の燃料有効長を短尺にして、そこに、ナトリウムプレナムを設ける方策が検討されている。しかしながら、この方策では、燃焼反応度を低減する効果はない。
【００１２】
また、下記特許文献１には、炉心部の径方向外側において炉心燃料が高く設定されている高速炉が開示されている。この高速炉によれば、径方向外側の炉心燃料から放出される中性子が増加するために径方向出力分布が平坦化するとしている。（特許文献１の段落［００４２］，［００４３］および図９参照）
【先行技術文献】
【特許文献】
【００１３】
【特許文献１】特開２０１２−２２０３２５号公報
【非特許文献】
【００１４】
【非特許文献１】平川直弘、岩崎智彦著、「原子炉物理入門」、東北大学出版会、2003年10月30日、p.279-286
【非特許文献２】Alan E. Walter, et al. 編著、高木直行監訳、「高速スペクトル原子炉（Fast Spectrum Reactors）」、ERC出版、2016年11月1日、p.25-27
【非特許文献３】KATSUYUKI KAWASHIMA, et al., “DESIGN STUDIES OF A LOW SODIUM VOID REACTIVITY CORE ABLE TO ACCOMMODATE DEGRADED TRU FUEL”, NUCLEAR TECHNOLOGY, MAR. 2014, VOL.185, p.270-280
【発明の概要】
【発明が解決しようとする課題】
【００１５】
上記非特許文献２に記載されているような、短尺炉心燃料の上部へのNaプレナムの設置は、ボイド反応度の低減をもたらすが、燃焼反応度は従来炉心と同程度である。
【００１６】
また、上記特許文献１では、上述したような燃焼反応度の低減やボイド反応度の低減に関する記載や開示はなされていない。
【００１７】
そこで、本発明の目的は、燃焼反応度を低減しつつ、ボイド反応度の大幅な低減を実現して、ＵＬＯＦ、ＵＴＯＰ時のいずれの事故に対しても、安全性の高い高速炉の炉心とその燃料装荷方法を提供することにある。
【課題を解決するための手段】
【００１８】
上記目的を達成するために、本発明は、炉心の径方向において、炉心燃料集合体が複数装荷される炉心燃料集合体領域内に、内部ブランケット燃料集合体が複数装荷される内部ブランケット燃料集合体領域を配置する径方向非均質型の高速炉の炉心であって、前記炉心燃料集合体領域および前記内部ブランケット燃料集合体領域の上部に、ラッパ管および流動ナトリウムで構成されるナトリウムプレナムを備え、前記内部ブランケット燃料集合体領域の高さが、前記炉心燃料集合体領域の高さよりも低いことを特徴とする。
【００１９】
また、本発明は、炉心の径方向において、炉心燃料集合体が複数装荷される炉心燃料集合体領域内に、内部ブランケット燃料集合体が複数装荷される内部ブランケット燃料集合体領域を配置する径方向非均質型の高速炉の炉心であって、前記炉心燃料集合体領域および前記内部ブランケット燃料集合体領域の上部に、ラッパ管の内部に束ねられたガスプレナムを有する金属燃料要素を備え、前記内部ブランケット燃料集合体領域の高さが、前記炉心燃料集合体領域の高さよりも低いことを特徴とする。
【００２０】
また、本発明は、炉心の径方向において、複数の炉心燃料集合体が装荷された炉心燃料集合体領域内に、複数の内部ブランケット燃料集合体を装荷することで内部ブランケット燃料集合体領域を配置し、前記炉心燃料集合体領域および前記内部ブランケット燃料集合体領域の上部に、ラッパ管および流動ナトリウムで構成されるナトリウムプレナムを配置する高速炉の燃料装荷方法であって、前記内部ブランケット燃料集合体領域の高さが、前記炉心燃料集合体領域の高さよりも低いことを特徴とする。
【００２１】
また、本発明は、炉心の径方向において、複数の炉心燃料集合体が装荷された炉心燃料集合体領域内に、複数の内部ブランケット燃料集合体を装荷することで内部ブランケット燃料集合体領域を配置し、前記炉心燃料集合体領域および前記内部ブランケット燃料集合体領域の上部に、ラッパ管の内部に束ねられたガスプレナムを有する金属燃料要素を配置する高速炉の燃料装荷方法であって、前記内部ブランケット燃料集合体領域の高さが、前記炉心燃料集合体領域の高さよりも低いことを特徴とする。
【発明の効果】
【００２２】
本発明によれば、電気出力75万kWクラスの高速炉において、燃焼反応度の絶対値を１＄(ドル)以下として、ＵＴＯＰ想定時に炉心に印可される反応度を大幅に小さくし、印加反応度の絶対値を減少しつつ、ＵＬＯＦ想定時に炉心に印可される反応度を負として、炉心安全性が向上する。
【００２３】
上記した以外の課題、構成および効果は、以下の実施形態の説明によって明らかにされる。
【図面の簡単な説明】
【００２４】
【図１】本発明の好適な一実施例である実施例１の高速炉炉心の縦断面図である。
【図２Ａ】本発明の好適な一実施例である実施例１の高速炉の炉心燃料集合体の縦断面図および水平断面図である。
【図２Ｂ】本発明の好適な一実施例である実施例１の高速炉の内部ブランケット燃料集合体の縦断面図および水平断面図である。
【図３】本発明の好適な一実施例である実施例１の高速炉の炉心1/2領域の水平断面図である。
【図４】本発明の好適な一実施例である実施例２の高速炉炉心の縦断面図である。
【図５Ａ】本発明の好適な一実施例である実施例２の高速炉の炉心燃料集合体の縦断面図および水平断面図である。
【図５Ｂ】本発明の好適な一実施例である実施例２の高速炉の内部ブランケット燃料集合体の縦断面図および水平断面図である。
【図６】本発明の好適な一実施例である実施例３の高速炉炉心の縦断面図である。
【図７Ａ】本発明の好適な一実施例である実施例３の高速炉の炉心燃料集合体の縦断面図および水平断面図である。
【図７Ｂ】本発明の好適な一実施例である実施例３の高速炉の内部ブランケット燃料集合体の縦断面図および水平断面図である。
【発明を実施するための形態】
【００２５】
以下、図面を用いて本発明の実施例を説明する。なお、各図面において、同一の構成については同一の符号を付し、重複する部分についてはその詳細な説明は省略する。
【実施例１】
【００２６】
本発明の好適な一実施例である実施例１の高速炉の炉心とその燃料装荷方法を、図１から図３を参照して説明する。図１は本実施例の高速炉炉心の縦断面図である。図２Ａおよび図２Ｂは本実施例の燃料集合体を示す図であり、図２Ａは炉心燃料集合体の縦断面および水平断面を示し、図２Ｂは内部ブランケット燃料集合体の縦断面および水平断面を示している。図３は本実施例の高速炉の炉心1/2領域の水平断面図である。
【００２７】
本実施例における高速炉の炉心１は、図１に示すように、炉心燃料２と内部ブランケット燃料３の２種類の燃料集合体より構成される径方向非均質装荷炉心であり、炉心燃料２および内部ブランケット燃料３の各燃料集合体の上部にはラッパ管（図２Ａ，図２Ｂの符号２０１）と流動ナトリウムよりなるナトリウムプレナム４が設置されている。炉心燃料２および内部ブランケット燃料３の各燃料集合体は、下部側を下部軸方向ブランケット５、側面を径方向ブランケット６、上部側を中性子遮へい体７で囲まれている。
【００２８】
図３の1/2領域の炉心水平断面図に示す通り、内部ブランケット領域３３は２列の六角形状に配置されている。制御棒集合体３６は、出力が低い内部ブランケット燃料集合体（内部ブランケット領域３３）を避けて、炉心燃料領域３２に配置され、所定の制御棒価値が確保されている。
【００２９】
炉心燃料領域３２は、径方向ブランケット領域３４と、さらにその外側の径方向遮へい体領域３５に取り囲まれている。図１もしくは図２Ａ，図２Ｂに示すように、内部ブランケット燃料集合体（内部ブランケット燃料３，２８）の燃料有効長は、炉心燃料集合体（炉心燃料２，２３）のそれよりも短い。
【００３０】
核分裂で発生する中性子の大部分は、炉心燃料２，２３で発生する。本炉心では、図１に示すように、内部ブランケット燃料（内部ブランケット燃料集合体）３を炉心燃料（炉心燃料集合体）２よりも短く（低く）構成しており、内部ブランケット集合体（内部ブランケット燃料３）に隣接する炉心燃料集合体（炉心燃料２）の側面の上部がナトリウムプレナム４に接している。そのため、ＵＬＯＦ事故を想定した場合に、ナトリウムプレナム４内の流動ナトリウムの温度が上昇して、ナトリウムの密度が減少もしくはナトリウムが沸騰すると、炉心燃料２から上部方向に加えて、ナトリウムプレナムに接する横方向の中性子の漏洩量が増加するため、ボイド反応度がより負側の値となる。
【００３１】
つまり、内部ブランケット燃料３を炉心燃料２よりも短く（低く）することにより（言い換えると、炉心燃料２を内部ブランケット燃料３よりも長くすることにより）、炉心燃料２のナトリウムプレナム４に接する表面積が増加し、炉心燃料２から発生する中性子をより効率良くナトリウムプレナム４へ放出することができる。
【００３２】
図２Ａ，図２Ｂに燃料集合体の縦断面を示す。なお、上述したように、図２Ａは炉心燃料集合体を示し、図２Ｂは内部ブランケット燃料集合体を示している。なお、図２Ａ，図２Ｂの各燃料集合体の構成が分かりやすいように、各燃料集合体の水平断面（図２ＡのＡ−Ａ’断面および図２ＢのＢ−Ｂ’断面）を各図面の下部に示している。
【００３３】
図２Ａに示す炉心燃料集合体２１の燃料物質（炉心燃料）２３は劣化ウラン酸化物（UO2）にプルトニウム酸化物(PuOx)を混合したMOX燃料（Mixed Oxide）であり、全て同じPu富化度である。図２Ｂに示す内部ブランケット燃料集合体２６の燃料物質（内部ブランケット燃料）２８は劣化ウラン酸化物（UO2）である。また、炉心燃料２３の下部２４は下部軸方向ブランケット燃料であり、半径方向外側６は径方向ブランケット燃料であり、いずれも燃料は劣化ウラン酸化物（UO2）である。
【００３４】
原子炉の電気出力は75万kWeで、連続運転期間は約20ヶ月、4バッチ燃料取り替えで、炉心燃料の取出し平均燃焼度は約100GWd/tである。
【００３５】
燃焼反応度は、内部ブランケットの劣化ウラン中のU238が燃焼に伴って、Pu239等の核分裂核種に変換するため、内部ブランケット集合体の出力分担は徐々に増加する。そのため、燃焼反応度は約１＄と小さな値となる。
【００３６】
本実施例において、ボイド反応度は、上述した様に、炉心燃料集合体２，２１のうち、内部ブランケット集合体３，２６に接する方向の中性子漏洩量が増大するので、負の値となる。従って、制御棒の誤引抜きとスクラム失敗を重畳した事故（ＵＴＯＰ：Unprotected Transient Over Power）を想定した場合でも、当該制御近傍の燃料集合体における線出力の増加がわずかとなり、燃料の健全性が維持される。
【実施例２】
【００３７】
本発明の他の好適な実施例である実施例２の高速炉の炉心とその燃料装荷方法を、図４から図５Ｂを参照して説明する。図４は本実施例の高速炉炉心の縦断面図である。図５Ａおよび図５Ｂは本実施例の燃料集合体を示す図であり、図５Ａは炉心燃料集合体の縦断面および水平断面を示し、図５Ｂは内部ブランケット燃料集合体の縦断面および水平断面を示している。なお、図４は実施例１の図１に相当し、図５Ａ，図５Ｂはそれぞれ実施例１の図２Ａ，図２Ｂに相当する。
【００３８】
本実施例における高速炉において、燃料は金属燃料（U-Pu-Zr、U-Zr）を用いる。金属燃料は、中性子の照射に伴うスエリングを抑えるために、燃料棒被覆管と燃料スラグの間に、断面積で定義して25%のギャップが設けられている。このギャップコンダクタンスを小さくして燃料棒の除熱性能を向上するために、上記のギャップにボンド材として液体Naが充填される。このため、炉心燃料の核分裂で発生する核分裂生成物（ＦＰ：Fission Product）の内のガスを保持するためのガスプレナムは燃料の上部に設けられる（上部ガスプレナム領域４２）。その結果、実施例１で設定されたナトリウムプレナムによるボイド反応度の低減効果は限定的となる。
【００３９】
その一方で、上部ガスプレナム領域４２の冷却材Naは、ＵＬＯＦ時に炉心燃料領域よりも高温となるので、ガスプレナム領域のボイド反応度は負となる。本実施例は、このガスプレナム領域の負のボイド反応度を、以下の方策で増大させてボイド反応度低減を達成する。
【００４０】
すなわち、図４および図５Ａ，図５Ｂに示す通り、内部ブランケット燃料集合体５４の燃料有効長を、炉心燃料集合体５１のそれよりも短くして、逆に、内部ブランケット燃料（集合体）３のガスプレナム長を、炉心燃料（集合体）２のそれよりも長くする。
【００４１】
つまり、図５Ａ，図５Ｂに示すように、内部ブランケット燃料集合体５４の内部ブランケット燃料２８の長さを炉心燃料集合体５１の金属炉心燃料５３の長さよりも短く設定し（言い換えると、炉心燃料集合体５１の金属炉心燃料５３の長さを内部ブランケット燃料集合体５４の内部ブランケット燃料２８の長さよりも長く設定し）、なおかつ、図４に示すように、炉心４１内において、実施例１と同様に、内部ブランケット燃料３を炉心燃料２よりも短くする（言い換えると、炉心燃料２を内部ブランケット燃料３よりも長くする）。
【００４２】
その結果、大部分の核分裂中性子が発生する炉心燃料（集合体）２，５１のうち、内部ブランケット燃料（集合体）３，５４に接する上部ガスプレナム４２から横方向に漏洩する中性子が増加し、ボイド反応度が低減する。
【００４３】
本実施例では、定常運転時にNaを反射するナトリウムプレナムが無いため、図４に示すように、上部遮へい体４３を設けている。上部（中性子）遮へい体の断面形状は、図５Ａ，図５Ｂの符号５６に示す通り、太径の遮へい体要素で構成されており、遮へい体要素は炭化ホウ素（B4C）を用いて、炉内上部構造の中性子照射量を抑制する。
【００４４】
なお、図４に示すように、本実施例の炉心４１は、実施例１と同様に、炉心燃料２および内部ブランケット燃料３の各燃料集合体が、下部側を下部軸方向ブランケット５、側面を径方向ブランケット６、上部側を中性子遮へい体４３に囲まれて構成されている。
【実施例３】
【００４５】
本発明のさらに別の好適な実施例である実施例３の高速炉の炉心とその燃料装荷方法を、図６から図７Ｂを参照して説明する。図６は本実施例の高速炉炉心の縦断面図である。図７Ａおよび図７Ｂは本実施例の燃料集合体を示す図であり、図７Ａは炉心燃料集合体の縦断面および水平断面を示し、図７Ｂは内部ブランケット燃料集合体の縦断面および水平断面を示している。なお、図６は実施例１の図１に相当し、図７Ａ，図７Ｂはそれぞれ実施例１の図２Ａ，図２Ｂに相当する。
【００４６】
本実施例における高速炉の炉心６１は、図１に示した実施例１の炉心１に対して、ナトリウムプレナム４と上部遮へい体４３の間に、中性子減速材層６２を設置している。中性子減速物質としては金属水素化物の中で水素解離温度が相対的に高い、イットリウム・ハイドライド（Y-Hx）を用いている。冷却材ナトリウムのボイド時には、炉心燃料２から上方に直接、もしくは内部ブランケット燃料３の方向に漏洩した後に、構造材等による散乱によって、上部遮へい体４３に衝突した中性子の多くは、炭化ホウ素（B4C）中のB-10に吸収される。
【００４７】
ところが、一部は、上部遮へい体４３中のFe等の構造材やB-11などの中性子吸収断面積が大きくない物質で散乱されて、再度炉心燃料２に戻って、核分裂を起こす。本実施例では、上記の様な上部遮へい体４３方向に散乱される中性子が中性子減速材層６２に含まれる水素Ｈに衝突して減速されるため、上部遮へい体４３中で吸収される割合が増大する。
【００４８】
その結果、ボイド反応度が減少する。核特性解析の結果、このボイド反応度低減効果は約１＄であることを確認した。
【００４９】
以上の各実施例では、炉心の燃料は、劣化ウラン酸化物とプルトニウム酸化物を混合した混合酸化物（MOX）燃料、もしくは金属燃料を想定したが、窒化物燃料を用いる高速炉の場合や、冷却材もナトリウム以外の、鉛や鉛・ビスマス等の液体重金属を用いる高速炉に対しても、本発明は同様の効果が得られる。
【００５０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５１】
１…高速炉の炉心、２…炉心燃料、３…内部ブランケット燃料、４…ナトリウムプレナム、５…下部軸方向ブランケット、６…径方向ブランケット（燃料）、７…中性子遮へい体、２１…高速炉の炉心燃料集合体、２２…炉心燃料要素、２３…炉心燃料、２４…下部軸方向ブランケット燃料、２５…ナトリウムプレナム、２６…高速炉の内部ブランケット燃料集合体、２７…内部ブランケット燃料要素、２８…内部ブランケット燃料、２９…燃料棒被覆管、３０…金属ブランケット燃料、３１…高速炉の1/2炉心水平断面、３２…炉心燃料領域、３３…内部ブランケット領域、３４…径方向ブランケット領域、３５…径方向遮へい体領域、３６…制御棒集合体、４１…高速炉の炉心、４２…上部ガスプレナム（領域）、４３…上部遮へい体（領域）、５１…高速炉の炉心燃料集合体、５２…炉心燃料要素、５３…金属炉心燃料、５４…高速炉の内部ブランケット燃料集合体、５５…内部ブランケット燃料要素、５６…上部（中性子）遮へい体、６１…高速炉の炉心、６２…中性子減速材層、７１…高速炉の炉心燃料集合体、７２…炉心燃料要素、７３…炉心燃料、７４…下部軸方向ブランケット燃料、７５…ナトリウムプレナム、７６…高速炉の内部ブランケット燃料集合体、７７…内部ブランケット燃料要素、７８…内部ブランケット燃料、７９…燃料棒被覆管、２０１…ラッパ管、２１１…中性子遮へい体、７０１…ラッパ管。
【図１】
2018185205.tif 000003
【図２Ａ】
2018185205.tif 000004
【図２Ｂ】
2018185205.tif 000005
【図３】
2018185205.tif 000006
【図４】
2018185205.tif 000007
【図５Ａ】
2018185205.tif 000008
【図５Ｂ】
2018185205.tif 000009
【図６】
2018185205.tif 000010
【図７Ａ】
2018185205.tif 000011
【図７Ｂ】
2018185205.tif 000012